(57)【要約】【課題】  フィルム包装材をテープでシールした場合は、フィルムに水分が付着していると、シールがすぐ剥がれるという問題があり、又、テープの粘着力不足により搬送中に剥がれ易いという問題があり、さらに、従来の超音波溶着器では、平らなフィルム包装材は溶着できないという問題がある。【解決手段】  ４は上部支持部材、５は下部支持部材、６は回動軸であり、これらの構成は上記従来例と同じであるので、説明は省略するが、本実施例では、上部支持部材４に装着した超音波振動子に円筒型ホーン１１を一体に形成し、下部支持部材５に針状体１２を固着し、生鮮食品２を包装するフィルム包装材１の４隅を重ねた部分に超音波溶着器１４の針状体１２を刺して、円筒型ホーン１１を重ねたフィルム包装材１の上から押し付けると、フィルム包装材２が超音波振動子で発生した超音波振動により、フィルム包装材１に水分が付着していても、確実に溶着されて固定される。【選択図】図１
2006062714.tif 000002
【特許請求の範囲】
【請求項１】
超音波振動子のホーンとアンビルの間に被溶着物を挿入して、前記超音波振動子のホーンを前記アンビル方向に押し付けることにより、前記超音波振動子のホーンと前記アンビルの間に挿入した前記被溶着物を超音波振動で溶着するようにした超音波溶着器において、前記超音波振動子の先端に円筒型ホーンを形成し、前記アンビルに針状体を固定し、該針状体をフィルム包装材に刺して、前記円筒型ホーンを前進フィルムを介して前記針状体に押し付けることにより、フィルム包装材を溶着することを特徴とするフィルム外装物超音波溶着器。
【請求項２】
前記円筒型ホーンの前記針状体の接触部に前記針状体が嵌合する窪みを形成することを特徴とする請求項１記載の超音波溶着器。
【請求項３】
前記円筒型ホーンの前記針状体との接触部に平らな部分を形成することを特徴とする請求項１記載の超音波溶着器。
【請求項４】
前記針状体の前記円筒型ホーンとの接触部に平らな部分を形成することを特徴とする請求項１記載の超音波溶着器。
【発明の詳細な説明】
【技術分野】
【０００１】
本発明は、生鮮食品をフィルム包装材で包装する時に、フィルム包装材の重ねた端部を溶着することができる超音波溶着器に関するものである。
【背景技術】
【０００２】
一般に、レタスやブドウなどの生鮮食品を包装する場合は、図５に示すようにフィルム包装材１に生鮮食品２を置き、図６に示すようにフィルム包装材１の４隅を生鮮食品２の上部で重ね、図７に示すように重ねたフィルム包装材１の４隅をテープ３でシールするようにしている。又、図８に示すように、パッケージの端部を溶着するために、上部支持部材４と下部支持部材５の一方の端部に突出部４ａ、５ａを設け、この突出部４ａ、５ａに回動軸６を装着し、この回動軸６から離れた位置にバネ７を設け、又、上部支持部材４の他方の端部から振動端８ａが突出するように超音波振動子８を装着し、下部支持部材５の他端にアンビル９を装着し、超音波振動子８の振動端８ａとアンビル９の間に被溶着物１０を挿入し、振動端８ａとアンビル９を互いに押し付け合うことにより、超音波振動が発生し、振動端８ａとアンビル９との間に挿入された突出した被溶着物１０を溶着するようにした超音波溶着器が提案されている。
【０００３】
しかしながら、生鮮食品２をフィルム包装材１で包装し、テープ３でシールしたものでは、フィルム１に水が付着した状態では、テープ３がすぐ剥がれてしまうという問題があり、又、テープの粘着力不足により、輸送中にテープが剥がれ易いという問題があり、さらに、従来の超音波溶着器では、パッケージの端部を溶着することはできるが、平らに重ねられたフィルム包装材１の端部を溶着することはできない。
【特許文献１】特願２００２−２２８２５３
【発明の開示】
【発明が解決しようとする課題】
【０００４】
解決しようとする問題点は、フィルム包装材をテープでシールした場合は、フィルムに水分が付着していると、シールがすぐ剥がれるという問題があり、又、テープの粘着力不足により搬送中に剥がれ易いという問題があり、さらに、従来の超音波溶着器では、平らなフィルム包装材は溶着できないという問題がある。
【課題を解決するための手段】
【０００５】
本発明では、超音波振動子の先端に円筒型ホーンを形成し、前記アンビルに針状体を固定し、針状体をフィルム包装材に刺して、円筒型ホーンをフィルムを介して前記針状体に押し付けることにより、超音波振動子の円筒型ホーンとアンビルに固定した針状体の間に挿入したフィルム包装材を超音波振動で溶着する。
【発明の効果】
【０００６】
本発明の超音波溶着器は、アンビルに針状体を固定し、針状体をフィルム包装材の重ねた部分に刺して、超音波振動子の円筒型ホーンを押し付けることにより、フィルム包装材の重ねた端部を円筒型ホーンと針状体の間に挿入したフィルム包装材を超音波振動で溶着することができるという利点がある。
【実施例】
【０００７】
図１は本発明の実施例の超音波溶着器の構成図で、４は上部支持部材、５は下部支持部材、６は回動軸であり、これらの構成は上記従来例と同じであるので、説明は省略するが、本実施例では、上部支持部材４に装着した超音波振動子に円筒型ホーン１１を一体に形成し、又、下部支持部材５に針状体１２を固着し、又、超音波振動子に発振出力を印加するために、発振器１３が接続されている。
【０００８】
このように構成された本実施例の超音波溶着器では、図２に示すように、生鮮食品２を包装するフィルム包装材１の４隅を重ねた部分に超音波溶着器１４の針状体１２を刺して、円筒型ホーン１１を重ねたフィルム包装材１の上から押し付けると、発振器１３から出力された発振出力によって、超音波振動子から超音波が発生し、この超音波で円筒型ホーン１１に発生した超音波振動により、フィルム包装材１に水分が付着していても、フィルム包装材２が確実に溶着されて固定される。
【０００９】
このように超音波振動で固定されたフィルム包装材２は完全に接着されることにより、このフィルム包装材１で包装された生鮮食品２を輸送する時に、剥がれることがないので、安全に生鮮食品２を輸送することができる。
【００１０】
図３は本発明の他の実施例の超音波溶着器の構成図で、４は上部支持部材、５は下部支持部材、６は回動軸であり、これらの構成は上記従来例と同じであるので、説明は省略するが、本実施例では、円筒型ホーン１１の針状体１２との接触部に針状体１２が挿入される窪み１１ａを形成する。
【００１１】
このように構成した本実施例では、針状体１２で刺したフィルム包装材１を針状体１２と円筒型ホーン１１の窪み１１ａで挟持して、超音波振動により溶着するので、フィルム包装材１の溶着面積が広くなり、より確実にフィルム包装材１を溶着することができる。
【００１２】
図４は本発明の他の実施例の超音波溶着器の構成図で、４は上部支持部材、５は下部支持部材、６は回動軸であり、これらの構成は上記従来例と同じであるので、説明は省略するが、本実施例では、円筒型ホーン１１の針状体１２との接触部に平らな部分１１ｂを形成し、又、針状体１２の円筒型ホーン１１の接触部に平らな部分１２ａを形成する。
【００１３】
このように構成した本実施例では、針状体１２で刺したフィルム包装材１を針状体１２の平らな部分１２ａと円筒型ホーン１１の平らな部分１１ｂで挟持して、超音波振動により溶着するので、フィルム包装材１の溶着面積が広くなり、より確実にフィルム包装材１を溶着することができる。
【産業上の利用可能性】
【００１４】
なお、円筒型ホーン１１又は針状体１２の平らな部分１１ｂ、１２ａは円筒型ホーン１１又は針状体１２のどちらかに設けても良い。
【図面の簡単な説明】
【００１５】
【図１】本発明の実施例の超音波溶着器の構成図である。
【図２】図１の超音波溶着器でフィルム包装材に針状体を刺して溶着する状態を示した図である。
【図３】本発明の他の実施例の超音波溶着器の構成図である。
【図４】本発明の他の実施例の超音波溶着器の構成図である。
【図５】フィルム包装材で生鮮食品を包装する状態を示した図である。
【図６】フィルム包装材で生鮮食品を包装する状態を示した図である。
【図７】フィルム包装材で生鮮食品を包装する状態を示した図である。
【図８】従来の超音波溶着器の構成図である。
【符号の説明】
【００１６】
４                上部支持部材
５                下部支持部材
６                回動軸
１１              円筒型ホーン
１２              針状体
【図１】
2006062714.tif 000003
【図２】
2006062714.tif 000004
【図３】
2006062714.tif 000005
【図４】
2006062714.tif 000006
【図５】
2006062714.tif 000007
【図６】
2006062714.tif 000008
【図７】
2006062714.tif 000009
【図８】
2006062714.tif 000010